(57)【要約】【課題】スイッチ構成部品の部品点数を減らして構造を簡略化し、組立作業性を改善することができるランプユニットのスイッチ構造を提供する。【解決手段】スイッチ回路を構成するバスバー２１間に接触するコンタクト３２がスライダー３１の内部に設けられており、コンタクト３２に設けたボール付勢部３２ｂが、ボール３３の一部をガイド部２８の嵌合凹部２８ａに付勢するようにした。このように、ボール３３を付勢するボール付勢部２８ｂをコンタクト３２に一体的に設けることで、従来、別途設けられていたスプリングを設ける必要がなくなるので、部品点数を減らして構造を簡易にすることができる。これにより、コストダウンを図るとともに組立作業性を改善することができる。【選択図】図３
2010097869.tif 000002
【特許請求の範囲】
【請求項１】
車体パネルを覆う内装用壁材に設けられたランプ装着窓に取付けられるランプユニットのスイッチ構造であって、
バルブに電力を供給するバルブ接点と電力線との間を連結するスイッチ回路を構成する複数のバスバーと、
所定の前記バスバー間に接触して導通させるコンタクトと、
前記コンタクトを収容して移動させるスライダーと、
前記スライダーをスライド可能に支持するガイド部に設けられている嵌合凹部に、一部を嵌合させることによりスライダーを所定位置に位置決めするボールと、を有し、
前記コンタクトに前記ボールを前記嵌合凹部に付勢するボール付勢部を設けたことを特徴とするランプユニットのスイッチ構造。
【請求項２】
前記コンタクトを全体矩形状に形成し、一の面を前記バスバー間の導通を図る導通部とし、前記一の面に対向する面を前記ボール付勢部とすることを特徴とする請求項１に記載のランプユニットのスイッチ構造。
【請求項３】
前記ボール付勢部に、前記ボールの一部が嵌合する凹部を設けたことを特徴とする請求項１または２に記載のランプユニットのスイッチ構造。
【発明の詳細な説明】
【技術分野】
【０００１】
本発明はランプユニットのスイッチ構造に係り、例えば、ルーフトリム等の内装用壁材のランプ装着窓に取り付けるルームランプ等のランプユニットのスイッチ構造に関するものである。
【背景技術】
【０００２】
従来より、車体パネルを覆うルーフトリム又はドアトリム等の内装用壁材に、ルームランプ又はカーテシランプ等のランプユニットを取り付けることが一般的に行われている（例えば特許文献１参照）。
【０００３】
図６に示すように、特許文献１に記載のルームランプ１００は、図示しない車体パネルを覆う内装用壁材としてのルーフトリム１０１に開口したランプ装着窓１０２に装着されるランプユニットである。
【０００４】
ルームランプ１０は、ルーフトリム１０１の車体パネル側（図６中、上側）に取付けられるランプ機能部分Ａと、ルーフトリム１０１の室内側（図６中、下側）に取付けられるカバーレンズ１０３からなる意匠部分Ｂとを有している。ランプ機能部分Ａは、スイッチ回路体を構成するバスバー１０４と共にスイッチ構成部品１１０が設けられる絶縁ハウジング１０５と、バスバー１０４のバルブ接点１０４ａ、１０４ａ間に装着されるバルブ（電球）１０６と、リフレクタ１０７とを有する。
【０００５】
図７に示すように、絶縁ハウジング１０５の室内側面（図７中、上面）には、ルームランプ１００のスイッチ部品１１０を収容可能なスイッチ収容部１０７と、電力線であるＦＦＣ（図示省略）を位置決め可能に収容する電線収容部１０８と、バルブ１０６を収容するバルブ収容部１０９とを有する。
【０００６】
スイッチ部品１１０は、バルブ１０６の作動状態（ＯＮ・ＯＦＦ及びドア連動）を切替え可能なスイッチ回路を断続操作するためのものであり、スイッチレバー１１１ａが一体とされたスライダー１１１と、コンタクト１１２と、ボール１１３と、バネ１１４等からなる。スライダー１１１は、絶縁ハウジング１０５と蓋１１５（図６参照）との間でスライド自在に支持される。
【０００７】
コンタクト１１２、バネ１１４、ボール１１３は、スライダー１１１内で図中上下移動可能に収容されている。コンタクト１１２は上方へ付勢されて上方にあるバスバー１０４と接触し、コンタクト１１２を移動させることにより、スイッチを切り替える。また、ボール１１３は下方へ付勢されて、スライダー１１１から一部が露出し、絶縁ハウジング１０５に設けられている嵌合凹部（図示省略）に一部嵌合することにより、スライダー１１１を所定位置に位置決めしてスイッチ操作のフィーリングを確保している。
【特許文献１】特開２００２−２３４３８８号公報（図１、図２）
【発明の開示】
【発明が解決しようとする課題】
【０００８】
しかしながら、前述した特許文献１に記載のルームランプ１００においては、スイッチ構成部品１１０として、スライダー１１１と、コンタクト１１２と、ボール１１３と、バネ１１４等を有しており、部品点数が多く、構造が複雑になるので、組立作業性が悪いという不都合があった。
【０００９】
本発明は、上述した事情に鑑みてなされたものであり、その目的は、スイッチ構成部品の部品点数を減らして構造を簡略化し、組立作業性を改善することができるランプユニットのスイッチ構造を提供することにある。
【課題を解決するための手段】
【００１０】
前述した目的を達成するために、本発明に係るランプユニットのスイッチ構造は、下記（１）〜（３）を特徴としている。
（１）  車体パネルを覆う内装用壁材に設けられたランプ装着窓に取付けられるランプユニットのスイッチ構造であって、バルブに電力を供給するバルブ接点と電力線との間を連結するスイッチ回路を構成する複数のバスバーと、所定の前記バスバー間に接触して導通させるコンタクトと、前記コンタクトを収容して移動させるスライダーと、前記スライダーをスライド可能に支持するガイド部に設けられている嵌合凹部に、一部を嵌合させることによりスライダーを所定位置に位置決めするボールと、を有し、前記コンタクトに前記ボールを前記嵌合凹部に付勢するボール付勢部と、を備えること。
（２）  上記（１）の構成のランプユニットのスイッチ構造であって、
前記コンタクトを全体矩形状に形成し、一の面を前記バスバー間の導通を図る導通部とし、前記一の面に対向する面を前記ボール付勢部とすること。
（３）  上記（１）または（２）の構成のランプユニットのスイッチ構造であって、
前記ボール付勢部に、前記ボールの一部が嵌合する凹部を設けたこと。
【００１１】
上記（１）の構成のランプユニットのスイッチ構造では、スイッチ回路を構成するバスバー間に接触するコンタクトがスライダーの内部に設けられており、コンタクトに設けたボール付勢部が、ボールの一部をガイド部の嵌合凹部に付勢するようにした。このように、ボールを付勢するボール付勢部をコンタクトに一体的に設けることで、従来、別途設けられていたスプリングを設ける必要がなくなるので、部品点数を減らして構造を簡易にすることができる。これにより、コストダウンを図るとともに組立作業性を改善することができる。
上記（２）の構成のランプユニットのスイッチ構造では、全体矩形状に形成されたコンタクトにおいてバスバー間の導通を図る導通部に対向する面に、ボール付勢部を設けたので、ボールをガイド部側に付勢するとともに、その反作用で導通部をバスバー側に付勢する。これにより、スイッチフィーリングを確保するとともにコンタクトを確実にバスバーに接触させることができる。
上記（３）の構成のランプユニットのスイッチ構造では、ボール付勢部にボールの一部が嵌合する凹部を設けたので、ボールが脱落するのを防止することができる。
【発明の効果】
【００１２】
本発明のランプユニットのスイッチ構造によれば、ボールを付勢するボール付勢部をコンタクトに一体的に設けることで、従来、別途設けられていたスプリングを設ける必要がなくなるので、部品点数を減らして構造を簡易にすることができる。これにより、コストダウンを図るとともに組立作業性を改善することができるという効果を有する。
【発明を実施するための最良の形態】
【００１３】
以下、本発明の実施形態に係るランプユニットのスイッチ構造について、図面を参照して説明する。
図１は本発明にかかるランプユニットの分解斜視図、図２は絶縁ハウジングの斜視図、図３はスイッチ部品の分解斜視図、図４（Ａ）〜（Ｃ）はバルブの各作動状態におけるスイッチ部品の位置を示す平面図および断面図、図５（Ａ）〜（Ｃ）は隣の作動状態に移動する際のボールおよびコンタクトを示す断面図である。
【００１４】
図１に示すように、本発明の実施形態にかかるランプユニットとしてのルームランプ１０は、図示しない車体パネルを覆う内装用壁材としてのルーフトリム１１に開口したランプ装着窓１１ａに装着されるものである。ルームランプ１０は、ルーフトリム１１の車体パネル側（図１において下側）に取付けられるランプ機能部分Ａと、ルーフトリム１１の室内側に取付けられる意匠部分Ｂとから成る。
【００１５】
意匠部分Ｂはカバーレンズ４０を有しており、図１に示したように、予めランプ装着窓１１ａに取り付けられるランプ機能部分Ａを、ルーフトリム１１の室内側（図中、上側）から被冠するようにして取り付けられる。カバーレンズ４０にはスイッチノブ４１がスライド自在に予め嵌装されており、このスイッチノブ４１をスライドさせることにより、スイッチを切り替える。
【００１６】
意匠部分Ａは、複数のバスバー２１、スイッチ部品３０、バルブ２３等を収容する絶縁ハウジング２２と、バスバー２１のバルブ接点２１ａ，２１ａ間に装着されるバルブ２３と、リフレクタ２４とを有している。バスバー２１は、バルブ２３に電力を供給するバルブ接点２１ａ、２１ａと電力線であるＦＦＣ（フレキシブル・フラット・ケーブル）２５との間を連結してスイッチ回路を構成する。リフレクタ２４は、バルブ２３の光を室内側に反射させる。
【００１７】
図２に示すように、絶縁ハウジング２２の室内側面（図２中、上面）には、ランプユニットのスイッチ部品３０を収容可能なスイッチ収容部２４と、ルーフトリム１１の車体パネル側に配索されてルームランプ１０に電気的に接続されるＦＦＣ２５を位置決め可能な電線収容部２６と、バルブ収容部２７とが設けられている。なお、バスバー２１は、電線収容部２６に収容されたＦＦＣ２５の上に圧接端子（図示省略）により接続される。
【００１８】
スイッチ部品３０は、バルブ２３の作動状態（ＯＮ・ＯＦＦ及びドア連動）を切替え可能なスイッチ回路を断続操作するためのものであり、図３に示すように、スイッチレバー３１ａが一体とされたスライダー３１と、コンタクト３２と、ボール３３と等を有する。なお、スイッチレバー３１ａは、前述したカバーレンズ４０を取付けた際に、スイッチノブ４１の取っ手４２（図１参照）の図中下面側に嵌合するものであり、取っ手４２と一体で移動する。
【００１９】
スライダー３１は全体矩形状をしており、内部には上方に開口したコンタクト収容部３１ｂを有し、その底面３１ｃはスライダー３１の高さ方向の途中位置に設けられている。底面３１ｃには、ボール３３の一部を下方へ突出させるための貫通穴３１ｄが設けられている。底面３１ｃの下側には、絶縁ハウジング２２に設けられたガイド部２８（図４、図５参照）を跨って、スライダー３１をスライド可能に支持するガイド受け３１ｅが形成されている。
【００２０】
コンタクト３２は、所定のバスバー２１間に接触して導通させることにより、バルブ２３の作動状態を切り替えるものである。コンタクト３２は、例えば幅細の薄板を全体矩形状に折曲形成されており、一の面（図３において上面）３２ａをバスバー２１間の導通を図る導通部（３２ａ）とし、一の面３２ａに対向する面３２ｂをボール付勢部（３２ｂ）とする。ボール付勢部３２ｂはボール３３に一部を嵌合させる部分球状の凹部３２ｃが設けられており、ここでは凹部３２ｃの中心位置に切れ目３２ｄが設けられている。ボール付勢部３２ｂは、板バネ状に形成されている。
【００２１】
従って、ボール３３をスライダー３１の底面３１ｃの貫通穴３１ｄに嵌合させ、ボール３３の上にコンタクト３２を載せる。組み立てられた後は、コンタクト３２の導通部３２ａはバスバー２１や絶縁ハウジング２２によって図３中上側から押さえられるので、ボール３３はボール付勢部３２ｂによって下方へ付勢されて貫通穴３１ｄに嵌合し、スライダー３１の底面３１ｃから一部が下方へ突出する。
【００２２】
これにより、カバーレンズ４０のスイッチノブ４１を移動させると、スイッチレバー３１ａを介してスライダー３１が移動する。このとき、ボール３３はガイド部２８に沿って移動し、後述するように、ガイド部２８設けられている嵌合凹部２８ａに一部嵌合してスライダー３１を位置決めする。この際、ボール３３の嵌合凹部２８ａへの嵌合により、適度なスイッチフィーリングを得ることができる（図４および図５参照）。
【００２３】
次に、スイッチの動作について説明する。
図４（Ａ）はスイッチが「ＤＯＯＲ状態」にある場合を示す平面図および図２中IV−IV位置の断面図、図４（Ｂ）は同じく「ＯＦＦ状態」の平面図および断面図、図４（Ｃ）は同じく「ＯＮ状態」の平面図および断面図、図５（Ａ）は「ＤＯＯＲ状態」におけるボールの位置を示す断面図、図５（Ｂ）は移動途中の状態を示す断面図、図５（Ｃ）はおなじく「ＯＦＦ状態」の断面図である。
【００２４】
図４（Ａ）および図５（Ａ）に示す「ＤＯＯＲ状態」は、車体のドアが開けられた際にバルブ２３を点灯させる作動状態である。この「ＤＯＯＲ状態」では、スライダー３１は図中最も左側に位置しており、ボール３３はガイド部２８における最も左側の嵌合凹部２８ａに嵌合している。
【００２５】
カバーレンズ４０のスイッチノブ４１を移動させてスライダー３１を図中右方向へ移動させると、図５（Ｂ）に示すように、ガイド部２８の嵌合凹部２８ａに一部嵌合していたボール３３は、嵌合凹部２８ａから転がり出て凸部２８ｂに移動する。このとき、板バネ状のボール付勢部３２ｂは上方へ弾性変形する。なお、ボール付勢部３２ｂは中央で切れているので、上方へ容易に変形する。
【００２６】
さらにスイッチノブ４１を移動させて、スライダー３１を図中右方向へ移動させると、図４（Ｂ）および図５（Ｃ）に示すように、ボール３３は次の嵌合凹部２８ａに嵌合して、「ＯＦＦ状態」となる。ボール３３が凸部２８ｂから嵌合凹部２８ａに嵌合する際に、コンタクト３２のボール付勢部３２ｂにより下方へ付勢されているので、ボール３３は嵌合凹部２８ａにカチッと位置決めされ、適度のスイッチフィーリングを伴って、コンタクト３２を所定位置に位置決めする。
【００２７】
さらにスイッチノブ４１を移動させて、スライダー３１を図中右方向へ移動させると、同様にして、図４（Ｃ）に示すように、ボール３３は凸部２８ｂを乗り越えて次の嵌合凹部２８ａに嵌合して、「ＯＦＦ状態」となる。
【００２８】
以上、説明した本実施形態にかかるランプユニットのスイッチ構造によれば、スライダー３１の内部に設けられスイッチ回路を構成するバスバー２１間に接触するコンタクト３２にボール付勢部３２ｂを設けて、ボール３３の一部をガイド部２８の嵌合凹部２８ａに付勢するようにした。このように、ボール３３を付勢するボール付勢部３２ｂをコンタクト３２に一体的に設けることで、従来、別途設けられていたスプリングを設ける必要がなくなるので、部品点数を減らして構造を簡易にすることができる。これにより、コストダウンを図るとともに組立作業性を改善することができる。
【００２９】
また、全体矩形状に形成されたコンタクト３２においてバスバー２１間の導通を図る導通部３２ａに対向する面に、ボール付勢部３２ｂを設けたので、ボール３３をガイド部２８側に付勢するとともに、その反作用で導通部３２ａをバスバー２１側に付勢する。これにより、スイッチフィーリングを確保するとともにコンタクト３２を確実にバスバー２１に接触させることができる。
【００３０】
さらに、ボール付勢部３２ｂにボール３３の一部が嵌合する凹部３２ｃを設けたので、スライダー３１をガイド部２８に沿って移動させる際に、ボール３３が脱落するのを防止することができる。
【００３１】
なお、本発明のランプユニットのスイッチ構造は、前述した実施形態に限定されるものでなく、適宜な変形，改良等が可能である。
例えば、前述した実施形態においては、バルブ２３の作動状態として、順に「ＤＯＯＲ状態」、「ＯＦＦ状態」、「ＯＮ状態」としたが、順番はこれに限るものではない。また、バルブ２３の作動状態として、他の状態を設けることもできる。
【図面の簡単な説明】
【００３２】
【図１】本発明にかかるランプユニットの分解斜視図である。
【図２】絶縁ハウジングの斜視図である。
【図３】スイッチ部品の分解斜視図である。
【図４】（Ａ）〜（Ｃ）はバルブの各作動状態におけるスイッチ部品の位置を示す平面図および断面図である。
【図５】（Ａ）〜（Ｃ）は隣の作動状態に移動する際のボールおよびコンタクトを示す断面図である。
【図６】従来のランプユニットの分解斜視図である。
【図７】従来の絶縁ハウジングおよびスイッチ部品の分解斜視図である。
【符号の説明】
【００３３】
１０  ルームランプ（ランプユニット）
１１  ルーフトリム（内装用壁材）
１１ａ  ランプ装着窓
２１  バスバー
２１ａ  バルブ接点
２３  バルブ
２５  ＦＦＣ（電力線）
２８  ガイド部
２８ａ  嵌合凹部
３０  スイッチ部品（スイッチ構造）
３１  スライダー
３２  コンタクト
３２ａ  導通部
３２ｂ  ボール付勢部
３２ｃ  凹部
３３  ボール
【図１】
2010097869.tif 000003
【図２】
2010097869.tif 000004
【図３】
2010097869.tif 000005
【図４】
2010097869.tif 000006
【図５】
2010097869.tif 000007
【図６】
2010097869.tif 000008
【図７】
2010097869.tif 000009